(57)【要約】【課題】  第１、第２ケースのスライド操作性が良く、製品を自由な形状で形成できる。【解決手段】  第２ケース２の上側に配置される第１ケース１の下面にスライド板３を設け、このスライド板３に第１、第２ガイド溝８、９を長手方向に沿って設け、第２ケース２の上面には第１、第２ガイド溝８、９内に移動可能に挿入する第１、第２ガイド突起部１２、１３を設け、これら第１、第２ガイド突起部１２、１３でスライド板３と第２ケース２とをスライド可能に連結した。従って、スライド板３と第１、第２ガイド突起部１２、１３とを第１、第２ケース１、２の間に配置できる。このため、第１、第２ケース１、２を相対的にスライドさせるときに、スライド板３と第１、第２ガイド突起部１２、１３が邪魔にならず、円滑にスライドさせることができる。また、スライド板３と第１、第２ガイド突起部１２、１３が製品の外観形状を制約しないため、製品を自由な形状で製作できる。【選択図】        図６
2005142728.tif 000002
【特許請求の範囲】
【請求項１】
上面に少なくとも表示部が設けられた第１ケースと、
この第１ケースの下側に配置され、その上面に少なくともキー入力部が片側の一部を除いて設けられた第２ケースと、
前記第１ケースの下面に取り付けられ、且つ前記第１ケースの長手方向に沿って設けられた複数のガイド溝を有するスライド部材と、
前記第２ケースの上面における前記キー入力部を除く前記片側の一部に設けられ、且つ前記スライド部材の前記複数のガイド溝内にそれぞれ移動可能に挿入して前記スライド部材に前記第２ケースをスライド可能に連結する複数のガイド突起部と
を備えたことを特徴とする携帯型電子機器。
【請求項２】
前記スライド部材には、前記ガイド溝の長手方向における中間部から前記第２ケースの前記キー入力部と反対側に延びる第１補助ガイド溝が前記ガイド溝に沿って設けられ、
前記第２ケースには、前記スライド部材のスライド動作に連動して前記第２ケースの内部から外部に向けてスライド可能に出没するスライドカバーが設けられ、
このスライドカバーには、前記ガイド溝の長手方向における中間部から前記第１補助ガイド溝と反対側に延びる第２補助ガイド溝が前記ガイド溝に沿って設けられ、
前記スライド部材と前記スライドカバーとは、前記第１、第２補助ガイド溝の両者に移動可能に挿入する補助ガイド突起部によってスライド可能に連結されていることを特徴とする請求項１に記載の携帯型電子機器。
【請求項３】
前記複数のガイド溝は前記スライド部材の両側に設けられ、前記スライド部材の前記第１補助ガイド溝と前記スライドカバーの前記第２補助ガイド溝とは前記複数のガイド溝の間に対応して設けられ、
前記複数のガイド突起部と前記補助ガイド突起部とは、前記第１、第２ケースを重ね合わせたときに、前記複数のガイド溝と直交する一直線上に配列し、且つ前記第１、第２ケースを相対的にスライドさせて互いに側方にずらして突出させたときに、ほぼ三角形状に配列する位置関係で設けられていることを特徴する請求項２に記載の携帯型電子機器。
【請求項４】
前記第２ケースの前記複数のガイド突起部のうち、少なくとも１つのガイド突起部には、前記第１ケース内の電子回路と前記第２ケース内の電子回路とを電気的に接続する接続部材が挿通する接続孔が設けられていることを特徴する請求項１〜３のいずれかに記載の携帯型電子機器。
【発明の詳細な説明】
【技術分野】
【０００１】
この発明は、携帯電話機や携帯端末機などの携帯型電子機器に関する。
【背景技術】
【０００２】
従来、携帯電話機においては、表示部を有する第１ケースの下側にキー入力部を有する第２ケースとを重ね合わせると共に、第１、第２ケースをその両者の長手方向に沿ってスライド可能に連結し、この状態で第１、第２ケースを互いにスライドさせてずらし、第１ケースの下側に配置された第２ケースのキー入力部を露出させることにより、第１ケースの表示部を見ながら第２ケースのキー入力部をキー操作できるようにしたのものがある。
【０００３】
このようなスライド式の携帯電話機では、第１ケースの下側に配置された第２ケースのスライド方向に沿う両側の側面にそれぞれガイド溝を設け、この第２ケースの両側の側面に対応する第１ケースの両側の側部に、それぞれ第２ケースの側面に対応して覆い被る垂下部を設け、これら両側の垂下部にそれぞれガイド突起部を設け、これらガイド突起部を第２ケースのガイド溝に移動可能に挿入させて第１、第２ケースをスライド可能に連結するように構成されている。
【０００４】
しかしながら、このような携帯電話機では、第１、第２ケースを相対的にスライドさせて互いにずらした状態で、第２ケースを手で持って使用し、この後、第１、第２ケースをスライドさせて重ね合わせるとき、第１ケースの垂下部が第２ケースの側面に覆い被ってスライドするため、そのスライド時に垂下部が邪魔になり、円滑に第１、第２ケースをスライドさせることができず、スライド操作性が悪いという問題がある。特に、このような携帯電話機では、第２ケースの両側の側面にガイド溝を設けているため、第１ケースの側面に垂下部を設ける必要があり、このため第１ケースの垂下部によって製品の形状が制約され、製品を自由な形状で製作することができないという問題もある。
【０００５】
また、このような携帯電話機では、第１ケースの垂下部を第２ケースの長手方向に沿って十分に長く形成しなければ、第１ケースと第２ケースとの連結強度を確保することができないため、第１、第２ケースの相対的なスライド長さが短くなり、このため第２ケースの上面の露出する領域が狭くなるので、第２ケースの上面に設けられるキー入力部のスペースを十分に確保することができないという問題もある。
【特許文献１】特開２００３−１１０６７５号公報
【発明の開示】
【発明が解決しようとする課題】
【０００６】
この発明が解決しようとする問題点は、第１ケースの垂下部が第２ケースの側面に覆い被ってスライドするため、スライド操作性が悪く、製品の形状も制約を受けることにある。
そこで、この発明は、第１ケースと第２ケースとを円滑かつ確実にスライドすることができ、スライド操作性が良く、製品の形状にも制約を受けることがない携帯型電子機器を提供することにある。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
請求項１に記載の発明は、図１〜図１２に示すように、上面に少なくとも表示部（５）が設けられた第１ケース（１）と、この第１ケースの下側に配置され、その上面に少なくともキー入力部（７）が片側の一部を除いて設けられた第２ケース（２）と、前記第１ケースの下面に取り付けられ、且つ前記第１ケースの長手方向に沿って設けられた複数のガイド溝（第１、第２ガイド溝８、９）を有するスライド部材（スライド板３）と、前記第２ケースの上面における前記キー入力部を除く前記片側の一部に設けられ、且つ前記スライド部材の前記複数のガイド溝内にそれぞれ移動可能に挿入して前記スライド部材に前記第２ケースをスライド可能に連結する複数のガイド突起部（第１、第２ガイド突起部１２、１３）とを備えたことを特徴とする携帯型電子機器である。
【０００８】
請求項２に記載の発明は、図４〜図１２に示すように、前記スライド部材（スライド板３）に、前記ガイド溝（第１、第２ガイド溝８、９）の長手方向における中間部から前記第２ケース（２）の前記キー入力部（７）と反対側に延びる第１補助ガイド溝（１０）が前記ガイド溝に沿って設けられ、前記第２ケースに、前記スライド部材のスライド動作に連動して前記第２ケースの内部から外部に向けてスライド可能に出没するスライドカバー（４）が設けられ、このスライドカバーに、前記ガイド溝の長手方向における中間部から前記第１補助ガイド溝と反対側に延びる第２補助ガイド溝（１５）が前記ガイド溝に沿って設けられ、前記スライド部材と前記スライドカバーとが、前記第１、第２補助ガイド溝の両者に移動可能に挿入する補助ガイド突起部（１６）によってスライド可能に連結されていることを特徴とする請求項１に記載の携帯型電子機器である。
【０００９】
請求項３に記載の発明は、図４〜図１２に示すように、前記複数のガイド溝（第１、第２ガイド溝８、９）が前記スライド部材（スライド板３）の両側に設けられ、前記スライド部材の前記第１補助ガイド溝（１０）と前記スライドカバー（４）の前記第２補助ガイド溝（１５）とが前記複数のガイド溝の間に対応して設けられ、前記複数のガイド突起部（第１、第２ガイド突起部１２、１３）と前記補助ガイド突起部（１６）とが、前記第１、第２ケース（１、２）を重ね合わせたときに、前記複数のガイド溝と直交する一直線上に配列し、且つ前記第１、第２ケースを相対的にスライドさせて互いに側方にずらして突出させたときに、ほぼ三角形状に配列する位置関係で設けられていることを特徴する請求項２に記載の携帯型電子機器である。
【００１０】
請求項４に記載の発明は、図４〜図１１に示すように、前記第２ケース（２）の前記複数のガイド突起部（第１、第２ガイド突起部１２、１３）のうち、少なくとも１つのガイド突起部（第２ガイド突起部１３）に、前記第１ケース（１）内の電子回路と前記第２ケース（２）内の電子回路（回路基板２３）とを電気的に接続する接続部材（フレキシブルな配線基板２２）が挿通する接続孔（１４）が設けられていることを特徴する請求項１〜３のいずれかに記載の携帯型電子機器である。
【発明の効果】
【００１１】
請求項１に記載の発明によれば、第２ケースの上側に配置される第１ケースの下面にスライド部材を取り付けると共に、このスライド部材に複数のガイド溝を第１ケースの長手方向に沿って設け、第２ケースの上面に、スライド部材の複数のガイド溝内にそれぞれ移動可能に挿入する複数のガイド突起部を設け、これらガイド突起部でスライド部材に第２ケースをスライド可能に連結したので、スライド部材およびガイド突起部を第１、第２ケースの間に配置することができる。このため、先行文献のようにスライド部材およびガイド突起部が第１、第２ケースの両側面に覆い被ることがないので、第１、第２ケースの一方を手で持って第１、第２ケースを相対的にスライドさせるときに、スライド部材およびガイド突起部が邪魔にならず、第１、第２ケースを円滑にスライドさせることができ、これによりスライド操作性の良いものを得ることができる。しかも、スライド部材およびガイド突起部が製品の外観形状を制約することがないため、製品を自由な形状で製作することができる。
【００１２】
請求項２に記載の発明によれば、第２ケースにスライド部材のスライド動作に連動するスライドカバーをスライド可能に設け、このスライドカバーに第２補助ガイド溝を設けると共に、スライド部材に第２補助ガイド溝と反対側に延びる第１補助ガイド溝を設け、この第１、第２補助ガイド溝に移動可能に挿入する補助ガイド突起部によってスライド部材とスライドカバーとをスライド可能に連結したので、第１、第２ケースの相対的なスライド長さを長くするために、スライド部材に複数のガイド溝を十分に長く形成しても、スライドカバーによってスライド部材のガイド溝を覆い隠すことができ、これによりスライド部材のガイド溝が外部に露出しないため、外観的にもデザイン的にも好ましいものを得ることができる。
【００１３】
特に、この場合には、スライド部材に複数のガイド溝を十分に長く形成することができるので、第１、第２ケースの相対的なスライド長さを十分に長くすることができ、これにより第２ケースの上面が露出する領域を広くすることができるので、第２ケースの上面に設けられるキー入力部の設置スペースを十分に確保することができ、このためキー入力部の各キーをそれぞれ大きくしてキー操作性の向上を図ることができ、またキー入力部のキーの数を増やして多機能化を図ることもできる。
【００１４】
請求項３に記載の発明によれば、第１、第２補助ガイド溝がスライド部材の両側に設けられたガイド溝の間に対応して設けられ、複数のガイド突起部と補助ガイド突起部とが、第１、第２ケースを重ね合わせたときに複数のガイド溝と直交する一直線上に配列し、且つ第１、第２ケースを相対的にスライドさせて互いに側方に突出させたときにほぼ三角形状に配列する位置関係で設けられていることにより、第１、第２ケースを相対的にスライドさせて互いに側方に突出させてずらしたときに、複数のガイド突起部と補助ガイド突起部とがほぼ三角形状に配列するので、第１、第２ケースをバランスが良く連結保持することができる。このため、第１、第２ケースの相対的なスライド長さを十分に長くして、第２ケースの上面が露出する領域を広くしても、第１、第２ケースの連結強度を十分に確保することができる。
【００１５】
請求項４に記載の発明によれば、第２ケースの複数のガイド突起部のうち、少なくとも１つのガイド突起部に第１ケース内の電子回路と第２ケース内の電子回路とを電気的に接続する接続部材が挿通する接続孔を設けたので、第１、第２ケースが相対的にスライドする構造であっても、接続部材を接続孔に挿通させることにより、第１、第２ケースの各電子回路同士を接続部材によって確実に接続することができる。また、接続部材は常に第１、第２ケースの間に配置されるため、接続部材が外部に露出することがなく、第１、第２ケースによって接続部材を良好に且つ確実に保護することができ、これにより接続部材が傷付くことがないばかりか、接続信頼性をも確保することができる。
【発明を実施するための最良の形態】
【００１６】
以下、図１〜図１２を参照して、この発明を携帯電話機に適用した実施形態について説明する。
図１はこの発明の携帯電話機を携帯する状態を示した斜視図、図２はその携帯電話機を使用する状態を示した斜視図、図３は図２の携帯電話機を下面側から見た斜視図である。
この携帯電話機は、図１および図２に示すように、第１ケース１と第２ケース２とを備え、これら第１、第２ケース１、２を、図１〜図３に示すように、スライド板３およびスライドカバー４によってスライド可能に重ね合わせて連結した構成になっている。
【００１７】
すなわち、第１ケース１は、図１および図２に示すように、ほぼ長方形の箱型に形成され、その上面における右上側には表示部５が設けられており、その左下側には操作部６が設けられている。表示部５は、液晶表示素子やＥＬ表示素子（エレクトロルミネッセンス表示素子）などの平面型の表示素子からなり、図１に示すように、第１ケース１に沿って長い長方形状に形成され、電話機能などの情報を電気光学的に表示するように構成されている。また、操作部６は、電話機能の各種のモードを切り替えるためのモード選択釦、電源釦、通話釦などの各種の操作釦を備えている。
【００１８】
第２ケース２は、図１および図２に示すように、第１ケース１とほぼ同じサイズで形成され、図１に示すように、第１ケース１の下側に重なり合って配置されるように構成されている。この第２ケース２の上面における所定個所、つまり図２に示すように第１、第２ケース１、２が相対的にスライドしてずれたときに露出する第２ケース２の露出領域Ｅ（図１１参照）には、キー入力部７が設けられている。このキー入力部７は、テンキー、メモキー、マナーキーなどの電話機能に必要な各種のキーを備え、図２に示すように、第２ケース２の縦長状態において縦向きで配列されている。この場合、キー入力部７の各キーは、第２ケース２の上面から上方に突出しないように構成されている。
【００１９】
スライド板３は、剛性の高い金属板からなり、図４および図５に示すように、第１ケース１の下面とほぼ同じサイズで形成されて第１ケース１の下面に取り付けられることにより、第１ケース１の底面部を形成するように構成されている。このスライド板３の左右両側には、第１、第２ガイド溝８、９がスライド板３の長手方向に沿って、第１、第２ケースのスライド長さとほぼ同じ長さ、つまり第２ケース２の露出領域Ｅの長さとほぼ同じ長さで設けられている。また、これら第１、第２ガイド溝８、９の間に位置する個所には、第１補助ガイド溝１０が第１、第２ガイド溝８、９のほぼ半分の長さで第１、第２ガイド溝８、９と平行に設けられている。
【００２０】
この場合、第１、第２ガイド溝８、９は、図４および図５に示すように、第２ケース２のキー入力部７側に位置する一端部近傍（図５では左端部近傍）から反対側の他端部側（同図では右端部側）に向けて設けられている。すなわち、第１、第２ガイド溝８、９は、図４および図５に示すように、第１、第２ケース１、２が相対的にスライドしてずれた状態で、第１、第２ケース１、２が互いに重なり合って露出しない領域を除いて、スライド板３の一端部（図４では左下部）から他端部付近（同図では右上部付近）に亘ってほぼ直線的に設けられている。
【００２１】
また、第１補助ガイド溝１０は、第１、第２ガイド溝８、９の長手方向における中間部から他端部側（図４では右端部側）に向けて設けられている。この第１補助ガイド溝１０も、第１、第２ケース１、２が互いにずれた状態で重なり合って露出しない領域を除いて、スライド板３の中間部から他端部付近（図４で右上部付近）に亘って設けられている。これにより、この第１補助ガイド溝１０は、その長さが第１、第２ガイド溝８、９のほぼ半分の長さに形成されている。
【００２２】
また、第２ケース２の上面には、図６に示すように、第１、第２ケース１、２が相対的にスライドしてずれた状態で、第１、第２ケース１、２が互いに重なり合って露出しない領域、つまり図１１に示す露出領域Ｅと反対側に位置する個所に開口部１１が設けられている。この開口部１１とキー入力部７との間に位置する第２ケース２の上面には、図６に示すように、第１、第２ガイド突起部１２、１３が上方に突出して設けられている。第１ガイド突起部１２は、円柱状に形成され、スライド板３の第１ガイド溝８内にスライド可能に挿入し、この挿入した先端に円板状のストッパ片１２ａが設けられ、このストッパ片１２ａによって第１ガイド突起部１２が第１ガイド溝８から抜け出すことなく係止され、これによりスライド板３と第２ケース２とをスライド可能に連結するように構成されている。
【００２３】
また、第２ガイド突起部１３は、図６に示すように、ほぼ楕円形の筒状に形成され、スライド板３の第２ガイド溝９内にスライド可能に挿入し、この挿入した先端にリング状のストッパ片１３ａが設けられ、このリング状のストッパ片１３ａによって第２ガイド突起部１３が第２ガイド溝９から抜け出すことなく係止され、これによりスライド板３と第２ケース２とをスライド可能に連結するように構成されている。この場合、第２ガイド突起部１３には、スライド板３の上面側と第２ケース２の内部側とに連続する接続孔１４が形成されている。
【００２４】
一方、スライドカバー４は、スライド板３と同様、剛性の高い金属板からなり、図６に示すように、第２ケース２の上面に設けられた開口部１１内にスライド可能に配置され、スライド板３のスライド動作に連動してスライドするように構成されている。すなわち、このスライドカバー４は、第２ケース２の開口部１１内に配置された状態で、スライド板３のスライド方向に沿って第２ケース２の内部から外部にスライド可能に出没するように構成されている。また、このスライドカバー４には、第２補助ガイド溝１５がスライド板３の両側の第１、第２ガイド溝８、９の間に対応して設けられている。
【００２５】
この第２補助ガイド溝１５は、図６に示すように、スライドカバー４の中間部から第２ケース２のキー入力部７側に向けて設けられ、その長さが第１、第２ガイド溝８、９のほぼ半分の長さで形成されている。すなわち、この第２補助ガイド溝１５は、スライド板３の第１補助ガイド溝１０に連続してその反対側に延び、その長さが第１補助ガイド溝１０とほぼ同じ長さに形成されている。このため、第１、第２補助ガイド溝１０、１５は、第１、第２ケース１、２が互いに重なり合うと、図７に示すように第１、第２補助ガイド溝１０、１５の両者も重なり合い、第１、第２ケース１、２が互いにスライドしてずれると、図１１に示すように第１、第２補助ガイド溝１０、１５の両者も互いにずれ、このずれた両者の長さがスライド板３の第１、第２ガイド溝８、９とほぼ同じ長さになるように構成されている。
【００２６】
また、第１、第２補助ガイド溝１０、１５には、補助ガイド突起部１６が移動可能に挿入されている。この補助ガイド突起部１６は、図６、図１０、図１２に示すように、第１、第２補助ガイド溝１０、１５の両者に連続して挿入する連結軸１７を備えている。この連結軸１７の上下端部には、図６、図７、図１１に示すように、それぞれ板状のストッパ片１８が設けられている。これらストッパ片１８は、連結軸１７が第１、第２補助ガイド溝１０、１５から抜け出さないように係止し、これによりスライド板３とスライドカバー４とをスライド可能に連結している。また、これらストッパ片１８の各対向面には、それぞれボールベアリング１９が設けられている。これらボールベアリング１９は、スライド板３の上面およびスライドカバー４の下面に接触して補助ガイド突起部１６を円滑に移動させるように構成されている。
【００２７】
これら第１、第２ガイド突起部１２、１３および補助ガイド突起部１６は、第１、第２ケース１、２が互いに重なり合ったときに、図４および図７に示すように、第１、第２ガイド溝８、９と直交する一直線上に配列し、第１、第２ケース１、２が相対的にスライドして互いにずれたときに、図５および図１１に示すように、ほぼ三角形状に配列する位置関係になるように構成されている。すなわち、第１、第２ガイド突起部１２、１３および補助ガイド突起部１６は、第１、第２ガイド突起部１２、１３の間に補助ガイド突起部１６が位置し、第１、第２ケース１、２が互いに重なり合ったときに、図４および図７に示すように、第１、第２ガイド突起部１２、１３が第１、第２ガイド溝８、９の右端部（図７では上端部）に位置し、補助ガイド突起部１６が第１補助ガイド溝１０の左端部に位置し、この状態で第１、第２ガイド溝８、９と直交する一直線上に並んで配置される。
【００２８】
また、第１、第２ガイド突起部１２、１３および補助ガイド突起部１６は、第１、第２ガイド突起部１２、１３の間に補助ガイド突起部１６が位置し、第１、第２ケース１、２が相対的にスライドして互いにずれたときに、図５および図１１に示すように、第１、第２ガイド突起部１２、１３が第１、第２ガイド溝８、９の右端部（図１１では下端部）に位置し、補助ガイド突起部１６が第１補助ガイド溝１０の左端部に位置すると共に、第２補助ガイド溝１５の右端部に位置し、これにより補助ガイド突起部１６が第１、第２ガイド突起部１２、１３から離れることにより、第１、第２ガイド突起部１２、１３および補助ガイド突起部１６が三角形状に配置される。
【００２９】
また、スライド板３における表示部５側の端部両側には、図６に示すように、切欠き溝２０が設けられている。これら切欠き溝２０は、第１、第２ケース１、２が相対的にスライドしてずれた状態で、第１、第２ケース１、２が互いに重なり合って露出しない領域におけるスライド方向の長さ、つまり第２ケース２の開口部１１のスライド方向の長さとほぼ同じ長さで形成されている。また、スライドカバー４における先端部側、つまりキー入力部７と反対側に位置するスライドカバー４の先端部の両側には、図６に示すように、スライド板３の切欠き溝２０内に移動可能に挿入する連動片２１が設けられている。
【００３０】
この連動片２１は、第１、第２ケース１、２が互いに重なり合う方向（図６において矢印Ｙ方向）にスライドするときに、スライド板３の切欠き溝２０が図６において左下側（矢印Ｙ方向）に移動して、図４に示すように、切欠き溝２０の右端部２０ａが当接することにより、スライドカバー４を第２ケース２の内部に向けてスライドさせる。また、この連動片２１は、第１、第２ケース１、２が相対的にスライドして互いにずれる方向（図６において矢印Ｘ方向）にスライドするときに、切欠き溝２０が図６において右上側（矢印Ｘ方向）に移動して、図５に示すように、切欠き溝２０の左端部２０ｂが当接することにより、スライドカバー４を第２ケース２の外部に向けてスライドさせるように構成されている。
【００３１】
ところで、スライド板３の上面には、図５および図６に示すように、第１、第２ケース１、２を電気的に接続するフレキシブルな配線基板２２が配置されている。この配線基板２２は、帯状に形成され、第２ガイド溝９と第１補助ガイド溝１０との間に屈曲自在に配置されている。この配線基板２２は、その右上側の端部が第１ケース１内の回路基板（図示せず）と電気的に接続されており、その左下側の端部がほぼＬ字状に折り曲げられ、この折り曲げられた先端部が第２ガイド突起部１３の接続孔１４に挿入されて第２ケース２内の回路基板２３と電気的に接続されている。これにより、配線基板２２は、第１、第２ケース１、２が互いに重なり合うときに、図４に示すように、その中間部分が順次折れ曲がって重なり合い、また第１、第２ケース１、２が相対的にスライドして互いにずれるときに、図５に示すように、その中間部分がほぼ帯状に展開するように構成されている。
【００３２】
なお、第１、第２ケース１、２は、図２に示すように、第１、第２ケース１、２が相対的にスライドして互いにずれると、図１２に示すように、第２ケース２に対し第１ケース１が斜め上方に傾斜すしてほぼ起立する状態になるように構成されている。すなわち、第１ケース１の下面に取り付けられるスライド板３は、下側に向けて凸になる凸曲面に形成されており、第２ケース２の上面は、中間部が凹んだ凹曲面に形成されている。これに伴って、スライドカバー４も、同じ曲面で湾曲形成されている。
【００３３】
このような携帯電話機では、携帯するときに第１、第２ケース１、２を互いにスライドさせて重ね合わせると、図１および図８に示すように、これら第１、第２ケース１、２の間にスライド板３およびスライドカバー４が配置されるので、電話機全体がコンパクトになり、良好に携帯することができる。また、この携帯電話機を使用するときには、図２に示すように、第１、第２ケース１、２を相対的にスライドさせてずらすと、第２ケース２のキー入力部７が露出し、これにより第１ケース１の表示部５を見ながら第２ケース２のキー入力部７を入力操作することができるので、良好に使用することができる。
【００３４】
この場合、第１、第２ケース１、２を図４において矢印Ｘ方向にスライドさせて互いにずらすときには、第１ケース１の下面に設けられたスライド板３の第１、第２ガイド溝８、９が第２ケース２の第１、第２ガイド突起部１２、１３でガイドされて相対的に矢印Ｘ方向に移動すると共に、スライド板３の第１補助ガイド溝１０が補助ガイド突起部１６でガイドされて相対的に同方向に移動する。また、スライド板３の切欠き溝２０も矢印Ｘ方向に相対的に移動する。このようにスライド板３が矢印Ｘ方向にスライドすると、図５に示すように、スライド板３の切欠き溝２０の左端部２０ｂがスライドカバー４の連動片２１に当接し、この状態で第１、第２ケース１、２が更に矢印Ｘ方向にスライドすると、スライドカバー４がスライド板３と共に矢印Ｘ方向にスライドして第２ケース２の外部に向けて移動する。
【００３５】
このときには、第２ケース２の第１、第２ガイド突起部１２、１３がスライド板３の第１、第２ガイド溝８、９に沿って相対的に移動するが、補助ガイド突起部１６はスライド板３の第１補助ガイド溝１０内を移動してその左端部に当接し、この状態でスライドカバー４の第２補助ガイド溝１５に沿って相対的に移動する。そして、図５に示すように、第１、第２ガイド突起部１２、１３がスライド板３の第１、第２ガイド溝８、９の各左端部に当接すると、第１、第２ケース１、２のスライドが停止する。これにより、第１、第２ケース１、２が図２に示すように互いにずれた状態になり、第２ケース２のキー入力部７が露出するので、携帯電話機が使用可能な状態になる。
【００３６】
また、第１、第２ケース１、２を互いに重ね合わせる方向（図５において矢印Ｙ方向）にスライドさせるときには、スライド板３の第１、第２ガイド溝８、９が第２ケース２の第１、第２ガイド突起部１２、１３でガイドされて相対的に矢印Ｙ方向に移動すると共に、スライド板３の第１補助ガイド溝１０が補助ガイド突起部１６でガイドされて相対的に同方向に移動する。また、スライド板３の切欠き溝２０も矢印Ｙ方向に相対的に移動する。このようにスライド板３が矢印Ｙ方向にスライドすると、図４に示すように、スライド板３の切欠き溝２０の右端部２０ａがスライドカバー４の連動片２１に当接し、この状態で第１、第２ケース１、２が更に矢印Ｙ方向にスライドすると、スライドカバー４がスライド板３と共に矢印Ｙ方向にスライドして第２ケース２内に移動する。
【００３７】
このときには、第２ケース２の第１、第２ガイド突起部１２、１３がスライド板３の第１、第２ガイド溝８、９に沿って相対的に移動するが、補助ガイド突起部１６はスライド板３の第１補助ガイド溝１０内を移動してその右端部に当接し、この状態でスライドカバー４の第２補助ガイド溝１５に沿って相対的に移動する。そして、図４に示すように、第１、第２ガイド突起部１２、１３がスライド板３の第１、第２ガイド溝８、９の各右端部に当接すると、第１、第２ケース１、２のスライドが停止する。これにより、第１、第２ケース１、２が図１に示すように互いに重なり合った状態になる。
【００３８】
このように、この携帯電話機によれば、第２ケース２の上側に配置される第１ケース１の下面にスライド板３を取り付けると共に、このスライド板３に第１、第２ガイド溝８、９を第１ケース１の長手方向に沿って設け、第２ケース２の上面にはスライド板３の第１、第２ガイド溝８、９内にそれぞれ移動可能に挿入する第１、第２ガイド突起部１２、１３を設け、これら第１、第２ガイド突起部１２、１３でスライド板３に第２ケース２をスライド可能に連結したので、スライド板３および第１、第２ガイド突起部１２、１３を第１、第２ケース１、２の間に配置することができる。
【００３９】
このため、先行文献のようにスライド板３および第１、第２ガイド突起部１２、１３が第１、第２ケース１、２の両側面に覆い被ることがないので、第１、第２ケース１、２の一方を手で持って第１、第２ケース１、２を相対的にスライドさせるときに、スライド板３および第１、第２ガイド突起部１２、１３が邪魔にならず、第１、第２ケース１、２を円滑にスライドさせることができ、このためスライド操作性の良いものを得ることができる。また、スライド板３および第１、第２ガイド突起部１２、１３が製品の外観形状を制約することがないため、製品を自由な形状で製作することができる。
【００４０】
この場合、第２ケース２にスライド板３のスライド動作に連動するスライドカバー４をスライド可能に設け、このスライドカバー４に第２補助ガイド溝１５を設け、またスライド板３には第２補助ガイド溝１５と反対側に延びる第１補助ガイド溝１０を設け、この第１、第２補助ガイド溝１０、１５に移動可能に挿入する補助ガイド突起部１６によってスライド板３とスライドカバー４とをスライド可能に連結したので、第１、第２ケース１、２の相対的なスライド長さを長くするために、スライド板３に第１、第２ガイド溝８、９を十分に長く形成しても、図３に示すように、スライドカバー４によってスライド板３の第１、第２ガイド溝８、９を覆い隠すことができ、これにより第１、第２ガイド溝８、９が外部に露出することがないので、外観的にもデザイン的にも好ましいものを得ることができる。
【００４１】
特に、スライド板３に第１、第２ガイド溝８、９を十分に長く形成することができるので、第１、第２ケース１、２の相対的なスライド長さを十分に長くすることができる。これにより、図１１に示すように第２ケース２の上面が露出する露出領域Ｅを広くすることができ、第２ケース２の上面に設けられるキー入力部７の設置スペースを十分に確保することができる。このため、キー入力部７の各キーをそれぞれ大きく形成することができ、これによりキー操作性の向上を図ることができ、またキー入力部７のキーの数を増やして多機能化を図ることもできる。
【００４２】
また、この携帯電話機では、第１、第２補助ガイド溝１０、１５がスライド板３の両側に設けられた第１、第２ガイド溝８、９の間に位置し、第１、第２ガイド突起部１２、１３と補助ガイド突起部１６とが、第１、第２ケース１、２を重ね合わせたときに第１、第２ガイド溝８、９と直交する一直線上に配列し、且つ第１、第２ケース１、２を相対的にスライドさせて互いに側方に突出させたときにほぼ三角形状に配列する位置関係で設けられていることにより、第１、第２ケース１、２を相対的にスライドさせて互いに側方にずらして突出させたときに、図５および図１１に示すように、第１、第２ガイド突起部１２、１３と補助ガイド突起部１６とがほぼ三角形状に配列するので、第１、第２ケース１、２をバランスが良く連結保持することができる。このため、第１、第２ケース１、２の相対的なスライド長さを十分に長くして、第２ケース２の上面が露出する露出領域Ｅを広くしても、第１、第２ケース１、２の連結強度を十分に確保することができる。
【００４３】
さらに、この携帯電話機では、第２ケース２の第１、第２ガイド突起部１２、１３のうち、第２ガイド突起部１３に第１ケース１内の回路基板（図示せず）と第２ケース２内の回路基板２３とを電気的に接続するフレキシブルな配線基板２２の端部が挿通する接続孔１４を設けたので、第１、第２ケース１、２が相対的にスライドする構造であっても、配線基板２２の端部を接続孔１４に挿通することにより、第１、第２ケース１、２内の各回路基板同士をフレキシブルな配線基板２２によって確実に接続することができる。特に、この場合には、配線基板２２が常に第１、第２ケース１、２の間に配置されるので、配線基板２２が外部に露出することがなく、第１、第２ケース１、２によって配線基板２２を良好に且つ確実に保護することができる。このため、配線基板２２が傷付くことがないばかりか、接続信頼性をも確保することができる。
【００４４】
なお、上記実施形態では、第１、第２ケース１、２を相対的にスライドさせて、第１、第２ケース１、２を重ね合わせて携帯するとき、または第１、第２ケース１、２を互いにずらして使用するときに、第１、第２ガイド突起部１２、１３がスライド板３の第１、第２ガイド溝８、９の各端部に当接するだけの構造であるが、これに限らず、例えば第１、第２ガイド溝８、９の各端部にそれぞれ第１、第２ガイド突起部１２、１３を係脱可能にロックするロック部を設けた構造でも良い。このようにすれば、携帯時および使用時に第１、第２ケース１、２が勝手にスライドすることがないので、安全で使い勝手の良いものを得ることができる。
【００４５】
また、上記実施形態では、第２ガイド突起部１３のみに配線基板２２の端部が挿入する接続孔１４を設けたが、これに限らず、第１ガイド突起部１２にも接続孔を設けても良い。この場合には、第２ガイド突起部１３と同様、第１ガイド突起部１２にもリング状のストッパ片を設け、このストッパ片で第１ガイド突起部１２が第１ガイド溝８から抜け出さないように構成すれば良い。
さらに、上記実施形態では、第１ケース１の下面に取り付けられるスライド板３、第２ケース２の上面、およびスライドカバー４をそれぞれ湾曲させた構造になっているが、これに限らず、スライド板３、第２ケース２の上面、およびスライドカバー４をそれぞれ平面に形成した構造でも良い。
【００４６】
なおまた、上記実施形態では、携帯電話機に適用した場合について述べたが、これに限らず、例えばＰＤＡ（パーソナル・デジタル・アシスタント）などの携帯端末機に広く適用することができる。
【図面の簡単な説明】
【００４７】
【図１】この発明を適用した携帯電話機の携帯時における斜視図である。
【図２】図１の携帯電話機の使用時における斜視図である。
【図３】図２の携帯電話機を下面側から見た斜視図である。
【図４】図１の状態の携帯電話機において第１ケースとスライド板との間で分解した斜視図である。
【図５】図２の状態の携帯電話機において第１ケースとスライド板との間で分解した斜視図である。
【図６】図５の状態でスライド板と第２ケースとを分解した斜視図である。
【図７】図１の状態における携帯電話機の側面図である。
【図８】図１の状態における第２ケースとスライド板とを示した平面図である。
【図９】図８のＡ−Ａ矢視に対応する携帯電話機の断面図である。
【図１０】図８のＢ−Ｂ矢視に対応する携帯電話機の断面図である。
【図１１】図２の状態における第２ケースとスライド板とを示した平面図である。
【図１２】図１１のＣ−Ｃ矢視に対応する携帯電話機の断面図である。
【符号の説明】
【００４８】
１  第１ケース
２  第２ケース
３  スライド板
４  スライドカバー
５  表示部
７  キー入力部
８  第１ガイド溝
９  第２ガイド溝
１０  第１補助ガイド溝
１２  第１ガイド突起部
１３  第２ガイド突起部
１２ａ、１３ａ、１８  ストッパ片
１４  接続孔
１５  第２補助ガイド溝
１６  補助ガイド突起部
２０  切欠き溝
２１  連動片
２２  配線基板
２３  回路基板
【図１】
2005142728.tif 000003
【図２】
2005142728.tif 000004
【図３】
2005142728.tif 000005
【図４】
2005142728.tif 000006
【図５】
2005142728.tif 000007
【図６】
2005142728.tif 000008
【図７】
2005142728.tif 000009
【図８】
2005142728.tif 000010
【図９】
2005142728.tif 000011
【図１０】
2005142728.tif 000012
【図１１】
2005142728.tif 000013
【図１２】
2005142728.tif 000014